(57)【要約】【課題】本発明は、強力な磁力のマグネットを用いることによって机等面と紙面との間の滑りを防ぎ、このマグネットと柔軟性素材とによって紙面と直定規との間の滑りを防ぐことを目的とする。特に、本発明は、大幅な移動・回転と小幅な移動・回転の両方が可能な直定規を提供することを目的とする。【解決手段】本発明の直定規は、表面側に表傾斜部および表平坦部を有し、裏面側に裏浮上り部、裏平坦部および裏勾配部を有する直定規において、当該裏平坦部はマグネットの微粉末が全面に分散された、またはマグネットの固体が一部に内蔵された柔軟性素材であり、当該裏浮上り部は、当該裏平坦部の表面から０．１ｍｍ〜１．０ｍｍの段差を有することを特徴とする。【選択図】図1
2020082384.tif 000002
【特許請求の範囲】
【請求項１】
表面側に表傾斜部および表平坦部を有し、裏面側に裏浮上り部、裏平坦部および裏勾配部を有する直定規において、当該裏平坦部はマグネットの微粉末が全面に分散された、またはマグネットの固体が一部に内蔵された柔軟性素材であり、当該裏浮上り部は、当該裏平坦部の表面から０．１ｍｍ〜１．０ｍｍの段差を有することを特徴とする直定規。
【請求項２】
前記段差が０．２ｍｍ〜０．８ｍｍであることを特徴とする請求項１に記載の直定規。
【請求項３】
前記裏平坦部の表面と前記裏勾配部の後端面が同一の高さであることを特徴とする請求項１に記載の直定規。
【請求項４】
前記裏浮上り部が緩勾配を有することを特徴とする請求項１に記載の直定規。
【請求項５】
前記裏平坦部以外の部分が非磁性の金属であることを特徴とする請求項１に記載の直定規。
【請求項６】
前記表平坦部に長手方向に平行な複数の凹溝を設けたことを特徴とする請求項１に記載の直定規。
【発明の詳細な説明】
【技術分野】
【０００１】
本発明は、紙やホワイトボード等に直線を引く直定規、特に目盛付き定規に関する。
【背景技術】
【０００２】
筆記具を用いて直線を引く直定規は物差しとして昔から使用されている。そして、このような直定規は滑りやすいことから、裏面にさまざまな工夫がなされてきた。
【０００３】
例えば、実全平０２−０５８９９５号公報（後述する特許文献１）の特許請求の範囲（３）には「長定規の裏面部を表面部と平行でかつ所定の幅員を有し裏面部中央に位置する水平状底部と、該底部の左右両端部より長手方向の左右両側壁面部へ夫々延設してなる左右対称の左右両傾斜部とを有する裏面部とし、左右両傾斜部及び水平状底部のいずれか一方を摩擦面に形成したことを特徴とするノンスリップルーラー」が開示されている。同公報の明細書には「そして摩擦面は、摩擦材を塗布・吹き付けするか、表面を凹凸にカットすることにより全部または一部分に形成する。」（明細書第６頁８行目）ことが記載され、図面の第４図にはその側面図が示されている。
【０００４】
また、実登３１７２９６７号公報（後述する特許文献２）の請求項１には、「片側目盛りの直線定規（１）において、目盛りの無い反対面（６）の裏面（５）にＬ字形カット部Ａ’（３）が設けられた事を特徴とする直線定規（１）」が開示されている。同公報の００２５段落には「図６は、机（９）に置かれた本考案の直接定規（１）のＬ字形カット部Ａ（２）を中指（１１）で押さえて動かなくしておき、親指（１０）でＬ字形カット部Ａ’（３）の角を引っかけて容易につまみ上げる様子を示している。」と記載されている。
【０００５】
しかしながら、机やホワイトボードやロッカー等の家具は表面が平滑なものが多い。そのため紙を載せて上述した定規で直線を引こうとすると、定規と紙間では滑らないものの紙と机等の間で滑ってしまう。近年では冷蔵庫や洗濯機等の家電製品、弁当箱等の日用品など磁石の磁力によってくっつく製品は身の回りにあふれている。
【０００６】
他方、磁石を用いた直定規も昔から様々なものが工夫されている。
例えば、実全昭４８−０２０５３８号公報（後述する特許文献３）には「定規本体１の一側面３の全体もしくは一部に強磁性材料を混入したるゴムは合成樹脂性シート４を貼着してなることを特徴とする定規」が開示されている。同公報の明細書および第４図には、アクリル樹脂製透明定規本体１の裏面側の中央部分のみに溝２aを穿設しフェライト混入ゴムシート４bを嵌着した実施例が記載されている。
【０００７】
しかしながら、直定規に用いられる磁石は永久磁石であり、電磁石のように磁力に強弱をつけることができない。すなわち、磁力が強力な磁石を用いると、いったん固定した直定規の位置をずらすのが困難になる。逆に、磁力を弱くすると、固定位置をずらすことはできるものの直線を引く際に直定規が滑ってしまう。たまたま最適な磁力に調節した永久磁石付き直定規が製作できたとしても、磁力の経年変化によってやがて磁力が弱くなり、直定規が鉄製品等に吸着しなくなるという現象が生じる。このような磁力が弱くなった直定規は、鉄製机面やホワイトボード上の紙製品に直線を引こうとすると、紙製品と机面等との間で滑りやすくなってしまう。
【０００８】
このような事情から、永久磁石を用いた直定規は、試作品は市販されるものの、実用品として耐えることができるものがなかった。すなわち、これまでの永久磁石を用いた直定規は、片手で強く押さえておかなければ、直定規の先端面に沿って直線が引けないという課題があった。
【先行技術文献】
【特許文献】
【０００９】
【特許文献１】実全平０２−０５８９９５号公報
【特許文献２】実用新案登録第３１７２９６７号公報
【特許文献３】実全昭４８−０２０５３８号公報
【発明の開示】
【発明が解決しようとする課題】
【００１０】
本発明は、強力な磁力のマグネットを用いることによって机等面と紙面との間の滑りを防ぎ、このマグネットと柔軟性素材とによって紙面と直定規との間の滑りを防ぐことを目的とする。特に、本発明は、大幅な移動・回転と小幅な移動・回転の両方が可能な直定規を提供することを目的とする。
【課題を解決するための手段】
【００１１】
本発明の直定規は、表面側に表傾斜部および表平坦部を有し、裏面側に裏浮上り部、裏平坦部および裏勾配部を有する直定規において、当該裏平坦部はマグネットの微粉末が全面に分散された、またはマグネットの固体が一部に内蔵された柔軟性素材であり、当該裏浮上り部は、当該裏平坦部の表面から０．１ｍｍ〜１．０ｍｍの段差を有することを特徴とする。
【００１２】
請求項２の発明は、前記段差が０．２ｍｍ〜０．８ｍｍであることを特徴とする。請求項３の発明は、前記裏平坦部の表面と前記裏勾配部の後端面が同一の高さであることを特徴とする。請求項４の発明は、前記裏浮上り部が緩勾配を有することを特徴とする。請求項５の発明は、前記裏平坦部以外の部分が非磁性の金属、特にアルミニウムであることを特徴とする。請求項６の発明は、前記表平坦部に長手方向に平行な複数の凹溝を設けたことを特徴とする。
【００１３】
強力なマグネットが全面または一部に内蔵された柔軟性素材を裏平坦部に用いると、マグネットの磁力によって直定規は机やホワイトボード等にしっかり固着する。ところが、表平坦部の後端面側を指で押さえると、既知のてこの原理により簡単に机等からマグネットを離すことができ、裏勾配部が机等と接触する。そうすると、マグネットの磁力が弱まり、直定規は簡単に机等からはがすことができる。すなわち、これまでの直定規ように、本発明の直定規も大幅な移動・回転を行うことができる。
【００１４】
他方、本発明の直定規において、裏面側に段差を設けることによって小幅な移動・回転の両方が可能になる。すなわち、表傾斜部の先端面側を指で押さえると、裏浮上り部と裏平坦部との段差によって裏平坦部がわずかに持ち上がる。このためマグネットの磁力がわずかに弱くなり、直定規の小幅な移動・回転を行うことができる。
【００１５】
段差の距離を０．１ｍｍ〜１．０ｍｍとしたのは、磁力の引力が直定規と机等との距離に依存するからである。すなわち、下限値の０．１ｍｍ未満では強力なマグネットの吸引力が強くなりすぎて小幅な移動・回転を行うことができない。上限値の１．０ｍｍを超える場合は、強力なマグネットの吸引力が弱くなって大幅な移動・回転を行うことができるだけになってしまう。
【００１６】
段差の距離を０．２ｍｍ〜０．８ｍｍが好ましいとしたのは、指で直定規を抑えつけたときに柔軟性素材が微変形できるからである。すなわち、直定規の形状はほぼ定着しており、その長さは一般的に１５０ｍｍ〜２０００ｍｍもしくは、１２０ｍｍ〜６００ｍｍである。また、その厚さも一般的に０．５ｍｍ〜２．０ｍｍもしくは、１．０ｍｍ〜５．０ｍｍである。そうすると、段差の距離も必然的に限定された範囲となる。よって、段差の距離を０．２ｍｍ〜０．８ｍｍが好ましいとした。
【００１７】
ここで、段差とは、表平坦部の表面から裏浮上り部の始端面までの深さと表平坦部の表面から裏平坦部の表面までの深さの差をいう。裏平坦部以外の部分が非磁性の金属である場合は、金属プレス加工によってアルミニウムやチタンや黄銅、真ちゅう等の金属または合金テープで３方向から柔軟性素材をくるむことができる。あるいは、柔軟性素材を延伸して嵌め込むことができる。裏平坦部以外の部分が非磁性の金属である場合は、便宜的に表平坦部の表面から裏浮上り部の始端面までの深さと表平坦部の表面から裏勾配部の終端面までの深さの差で代用することができる。
【００１８】
てこの支点となる柔軟性素材は、ゴム、エラストマーまたは合成樹脂などから構成することができる。小幅な移動・回転を行っても、柔軟性素材がホワイトボードに書かれたものを汚したり消したりすることはない。また、マグネットは、フェライト磁石が一般的であるが、希土類磁石などを用いることもできる。これらの磁石を紛状体にして柔軟性素材に混練したり、線条体やテープ状体にして柔軟性素材の間へ筋状に配列したり、片や円盤にしてスポット的に柔軟性素材へ内蔵したりすることができる。
【００１９】
裏浮上り部の平坦部を裏平坦部に対して緩やかな勾配、すなわち緩勾配を設けておくと、表傾斜部の先端面を指で押さえたときに押圧力の水平成分が柔軟性素材へ伝達される。また、マグネットが机等から離れる距離が緩勾配の深さの分だけわずかに大きくなる。
【００２０】
また、柔軟性素材からなる段差は表傾斜部の押圧力によって変化するので、表傾斜部の中央部分を指で強く押さえると、段差の距離が短くなり、マグネットの磁力が強くなる。この場合は、直定規が長い場合でも片手の複数の指で押さえながら、直定規でホワイトボードや紙上に直線を引くことができる。表傾斜部の先端面側を半円形断面にしておけば、万年筆やボールペンで書いたときでも、余分のインク等が毛細管現象によって紙やホワイトボード等ににじむことはない。また、経年劣化によりマグネットの磁石が弱くなっても、裏平坦部の柔軟性素材が紙やホワイトボード等に対して滑りにくいので、これまでの直定規と同様に使用することができる。
【発明の効果】
【００２１】
本発明の直定規によれば、直定規の大幅な移動・回転を行うことができるだけでなく、磁力が強力なマグネットを用いても表傾斜部を押さえつける指の位置および押圧力によって小幅な移動・回転を行うことができる効果がある。また、本発明の直線定規は、マグネットの磁力により位置が固定されているので、万年筆やボールペン等で紙面に線引きする場合には裏浮上り部を浮かせた状態でインクをにじませずに直線を引くことができ、鉛筆やシャープペン等で紙面に線引きする場合には表傾斜部を押さえることにより先端面を基準にして直線を引くことができる。
【００２２】
また、本発明の直定規の裏浮上り部に緩勾配を有していれば、緩勾配の深さ分だけ段差の距離を増やすことができるので、マグネットの強力な磁力を微調整することができる。逆に、マグネットの磁力が経年劣化しても、押さえつける指の位置および押圧力によって直定規の小幅な移動・回転を行うことができる効果がある。また、表平坦部に長手方向に平行な複数の凹溝を設けておけば、押さえたときに指先が滑ることが無い。また、前記裏平坦部以外の部分が非磁性の金属にすれば、直定規のプレス成形加工が簡単になる。
【図面の簡単な説明】
【００２３】
【図１】本発明の実施例を示す直定規の断面図である。
【発明を実施するための形態】
【００２４】
本発明における好適な実施の形態について、図面を参照しながら詳細に説明する。なお、以下に説明する実施の形態は、特許請求の範囲に記載された本発明の内容を限定するものではない。また、以下に説明される構成の全てが、本発明の必須要件であるとは限らない。
【実施例１】
【００２５】
本発明の実施例１を図面を参照して説明する。直定規１の外形は、長さ１５０ｍｍ、幅３０ｍｍおよび厚さ４ｍｍである。直定規１の表面側に表傾斜部２および表平坦部３とを備え、裏面側に裏浮上り部４、裏平坦部５および裏勾配部６を備える。表傾斜部２には１ｃｍ単位に目盛りがふられ、１ｍｍ単位の副目盛が刻まれている。表平坦部３には長手方向に１６本の筋溝が形成されている。
【００２６】
裏浮上り部４は始端面７から緩勾配面８が形成され、断面が半円形の先端面９を経て表傾斜部２へ連なっている。他方、裏勾配部６は終端面１０と後端面１１を備え、後端面１１が表平坦部３に連なっている。
【００２７】
裏平坦部５はエラストマーゴム材からなり、直径８ｍｍのマグネット１２を、直定規１の長手方向の両端と中央付近に３個内蔵している。裏平坦部５は、アルミニウム製の金属で囲われ、３方向が閉じられた構造になっている。
【００２８】
段差１３は、表平坦部３の表面から裏浮上り部４の始端面７までの深さと表平坦部３の表面から裏平坦部５の表面までの深さの差をいう。裏平坦部5のエラストマーゴム材は弾力性があるので、便宜的に裏平坦部５の表面を裏勾配部６の終端面１０とすると、段差１３は０．３ｍｍである。緩勾配面８の始端面７から先端面９に至るまでの緩勾配面８の深さは０．１ｍｍである。他方、裏勾配部６の後端面１１から終端面１０までの深さは０．８ｍｍである。紙面等の基準面から表傾斜部２の先端面までの高さは、弱い磁力を保つため紙面等の基準面から裏勾配部６の後端面１１までの高さの半分未満である。
【００２９】
表平坦部３の終端面側を中指で押さえると、てこの原理により簡単に裏勾配部６が事務机の平面に接触するので、親指を使って直定規１を机から離すことができる。
【００３０】
表傾斜部２の先端面側を中指で押さえると、てこの原理により簡単に緩勾配面８が事務机の平面に接触する。ところが、段差１３の０．３ｍｍと緩勾配面８の深さ０．１ｍｍを合わせても、直定規１は０．４ｍｍしか事務机から離れていない。このため片手で事務机上を平行移動するときは人差し指と中指の２本が必要になる。また、直定規１を回転するときは、表傾斜部２を片手で押さえ、他方の指で後端面１１を押す必要がある。
【００３１】
尚、本発明は、本実施例に限定されるものではなく、本発明の要旨の範囲内で種々の変形実施が可能である。例えば、先端面は直線形状でもよい。表傾斜部を指で押さえると、段差等によって先端面が内方に傾斜し、筆記具があたる箇所にスペースが生まれる分インクにじみを防ぐことができるからである。また、柔軟性素材は、実施例とは逆に、滑りの良い合成樹脂であってもよい。現場でフィールドノートとしてメモ用紙等をはさむことができる。
【符号の説明】
【００３２】
１    直定規
２    表傾斜部
３    表平坦部
４    裏浮上り部
５    裏平坦部
６    裏勾配部
７    始端面
８    緩勾配面
９    先端面
１０  終端面
１１  後端面
１２  マグネット
１３  段差
【図１】
2020082384.tif 000003